(57)【特許請求の範囲】
【請求項１】
キャップ型帽子の周囲に、このキャップ型帽子を取り囲むように配置される線条体と、
前記線条体に取り付けられるカーテンと、
前記キャップ型帽子の鍔部に前記線条体を着脱可能に取り付ける取付具と、
前記キャップ型帽子の後部に前記線条体を着脱自在に取り付ける線条体支持具と、を備え、
前記線条体支持具は、上下方向に延びる棒状体と、この棒状体の下端に取り付けられるとともに、前記キャップ型帽子の後部に着脱自在に取り付けられる下端側取付部と、前記棒状体の上端に取り付けられるとともに、前記線条体に取り付けられる上端側取付部と、を有し、
前記棒状体は、３６０度の全方向に対して傾動自在に、前記上端側取付部と前記下端側取付部とに取り付けられる、
帽子用装着具。
【請求項２】
前記棒状体の下端及び前記下端側取付部の何れか一方には、略球状の第１凸部が形成されており、
前記棒状体の下端及び前記下端側取付部の何れか他方には、前記第１凸部を嵌合させるための第１凹部が形成されるとともに、この第１の凹部の周囲にこの第１凹部に向かって上から下に傾斜するテーパが形成されており、
前記第１凹部に前記第１凸部が嵌合されることで、前記下端側取付部が前記棒状体に取り付けられる、
請求項１に記載の帽子用装着具。
【請求項３】
前記棒状体の上端及び前記上端側取付部の何れか一方には、略球状の第２凸部が形成されており、
前記棒状体の上端及び前記上端側取付部の何れか他方には、前記第２凸部を嵌合させるための第２凹部が形成されるとともに、この第２の凹部の周囲にこの第２凹部に向かって上から下に傾斜するテーパが形成されており、
前記第２凹部に前記第２凸部が嵌合されることで、前記上端側取付部が前記棒状体に取り付けられる、
請求項１又は２に記載の帽子用装着具。
【請求項４】
前記上端側取付部には、線条体を貫通させる貫通孔が形成されており、
前記上端側取付部は、前記貫通孔に線条体を貫通させることで、前記線条体に取り付けられる、
請求項３に記載の帽子用装着具。
【請求項５】
キャップ型帽子の周囲に、このキャップ型帽子を取り囲むように配置される線条体と、この線条体に取り付けられるカーテンと、前記キャップ型帽子の鍔部に前記線条体を着脱可能に取り付ける取付具と、を備えた帽子用装着具で使用される線条体支持具であって、
上下方向に延びる棒状体と、
前記棒状体の下端に取り付けられるとともに、前記キャップ型帽子の後部に着脱自在に取り付けられる下端側取付部と、
前記棒状体の上端に取り付けられるとともに、前記線条体に取り付けられる上端側取付部と、を有し、
前記棒状体は、３６０度の全方向に対して傾動自在に、前記上端側取付部と前記下端側取付部とに取り付けられる、
線条体支持具。
【発明の詳細な説明】
【技術分野】
【０００１】
本発明は、キャップ型帽子の周囲に日除け等用のカーテンを装着するための帽子用装着具及びこの帽子用装着具で用いられる線条体支持具に関する。
【背景技術】
【０００２】
従来、例えば、特許文献１、２に記載されているように、日除け、防暑、虫除け、農薬除け、防寒等（以下、「日除け等」と記載する）のために、帽子に着脱自在に取り付けて用いる帽子用装着具が知られている。これらの帽子用装着具は、帽子の周囲に帽子を取り囲むよう配置される線条体と、この線条体に取り付けられる日除け等用のカーテンと、帽子の前方の鍔部に線条体を着脱可能に取り付ける取付具と、を備える。これによって、帽子に帽子用装着具を取り付けることで、日除け等の必要に応じて、日除け等用のカーテンを帽子に取り付けることが可能になる。
【先行技術文献】
【特許文献】
【０００３】
【特許文献１】特開２００９−６８１４２号公報
【特許文献２】特開２００８−１３３５５０号公報
【発明の概要】
【発明が解決しようとする課題】
【０００４】
しかしながら、特許文献１に開示された帽子用装着具では、線条体が帽子の前方の鍔部にのみ固定されているため、帽子の着用者（以下、「着用者」と記載する）が上下動をともなう動作（例えば走る等）をしたときに、線条体の後部が上下方向に振れてしまう場合がある。また、風が吹いたとき等にも、線条体の後部が振れてしまう場合がある。この様な場合には、着用者の後頭部の日除け等が困難になる。
【０００５】
一方、特許文献２に開示された帽子用装着具は、線条体の後部を帽子の後部に固定するための着脱具を備えるため、この帽子用装着具では、上述した特許文献１に開示された帽子用装着具のような、線条体の後部が振れてしまうという問題は生じ難い。
【０００６】
しかしながら、特許文献２に開示された着脱具は、線条体の後部の高さ及び前後方向における位置を同時に調整することのみが可能なものであり、個別に調整することができないものである。具体的に説明すると、着脱具は、帽子の後部に取り付けられる着脱部と、この着脱部に対して、略水平姿勢と略垂直姿勢との間で姿勢の変更が可能に取り付けられるとともに、先端に線条体が取り付けられた軸支部とからなる可動式クリップである。このため、着脱具では、軸支部の姿勢の変更によって、線条体の後部の高さ及び前後方向における位置を調整することができるが、線条体の後部の高さを変えると、必ず線条体における後部の前後方向の位置が変わってしまい、線条体の後部の位置の微調整が難しかった。従って、着用者の頭部の形状や大きさ、帽子の形状や大きさは様々なものであるが、特許文献２における着脱具では、様々な大きさ及び形状の頭部や帽子にフィット（適合）させて、好適な位置（着用者が違和感を感じない位置）に線条体の後部を配置することが困難な場合があった。この様な場合には、帽子用装着具が自己の頭部にフィットしているとの感覚（フィット感）を着用者に与え難く、着用者が違和感を持ってしまうことになる。
【０００７】
本発明は、上記課題を解決するためのものであり、線条体の後部が振れてしまうことなく、かつ、様々な大きさ及び形状の頭部や帽子に線条体の後部の位置をフィットさせて、好適な位置になるように線条体の後部を配置可能な帽子用装着具及びこの帽子用装着具に用いられる線条体支持具を提供することを目的とする。
【課題を解決するための手段】
【０００８】
（１）上記課題を解決するために、本発明に係る帽子用装着具は、キャップ型帽子の周囲に、このキャップ型帽子を取り囲むように配置される線条体と、線条体に取り付けられるカーテンと、キャップ型帽子の鍔部に線条体を着脱可能に取り付ける取付具と、キャップ型帽子の後部に線条体を着脱自在に取り付ける線条体支持具と、を備える。線条体支持具は、上下方向に延びる棒状体と、この棒状体の下端に取り付けられるとともに、キャップ
型帽子の後部に着脱自在に取り付けられる下端側取付部と、棒状体の上端に取り付けられるとともに、線条体に取り付けられる上端側取付部と、を有する。棒状体は、３６０度の全方向に対して傾動自在に、上端側取付部と下端側取付部とに取り付けられる。
【０００９】
上記構成によれば、線条体支持具によって、線条体がキャップ型帽子の後部に取り付けられるため、着用者の動作や風等を原因として、線条体の後部が振れてしまうことを防止することができる。また、棒状体の下端に取り付けられた下端側取付部が帽子の後部に取り付けられ、棒状体の上端に取り付けられた上端側取付部が線条体の後部に取り付けられるため、線条体の後部を、着用者の後頭部をカーテンで十分に覆うことができる程度の高い位置に固定的に配置することができる。これによって、防寒用の分厚いカーテン等を使用した場合でも、カーテンの重みによって、線条体の後部が着用者の後頭部を十分に覆うことができないような低い位置になってしまい、着用者の後頭部を日差し等から十分に保護することができなくなることを防止することができる。更に、線条体支持具を構成する棒状体が、３６０度の全方向に対して傾動自在に、上端側取付部と下端側取付部とに取り付けられるため、棒状体を傾動させて線条体の後部の位置を微調整することができる。
【００１０】
（２）上記棒状体の下端及び上記下端側取付部の何れか一方には、略球状の第１凸部が形成されていてもよい。また、上記棒状体の下端及び上記下端側取付部の何れか他方には、第１凸部を嵌合させるための第１凹部が形成されるとともに、この第１の凹部の周囲にこの第１凹部に向かって上から下に傾斜するテーパが形成されてもよい。そして、第１凹部に第１凸部が嵌合されることで、下端側取付部が棒状体に取り付けられてもよい。
【００１１】
上記構成によれば、棒状体を３６０度の全方向に対して傾動自在にするための、棒状体の下端側取付部への取付け構造を簡易なものにすることができる。
【００１２】
（３）上記棒状体の上端及び上記上端側取付部の何れか一方には、略球状の第２凸部が形成されていてもよい。上記棒状体の上端及び上記上端側取付部の何れか他方には、第２凸部を嵌合させるための第２凹部が形成されるとともに、この第２の凹部の周囲にこの第２凹部に向かって上から下に傾斜するテーパが形成されてもよい。そして、第２凹部に第２凸部が嵌合されることで、上端側取付部が棒状体に取り付けられてもよい。
【００１３】
上記構成によれば、棒状体を３６０度の全方向に対して傾動自在にするための、棒状体の上端側取付部への取付け構造を簡易なものにすることができる。
【００１４】
（４）上記上端側取付部には、線条体を貫通させる貫通孔が形成されており、上記上端側取付部は、貫通孔に線条体を貫通させることで、線条体に取り付けられてもよい。
【００１５】
上記構成によれば、棒状体が貫通孔の貫通方向に傾動する場合には、上端側取付部が線条体に沿ってスライドするため、線条体を変形させたり、線条体の後部の前後方向の位置等を変更せずに、線条体の後部の高さを変更することができる。
【００１６】
（５）また、本発明に係る線条体支持具は、キャップ型帽子の周囲に、このキャップ型帽子を取り囲むように配置される線条体と、この線条体に取り付けられるカーテンと、キャップ型帽子の鍔部に線条体を着脱可能に取り付ける取付具と、を備えた帽子用装着具で使用される線条体支持具であって、上下方向に延びる棒状体と、棒状体の下端に取り付けられるとともに、キャップ型帽子の後部に着脱自在に取り付けられる下端側取付部と、棒状体の上端に取り付けられるとともに、線条体に取り付けられる上端側取付部と、を有し、棒状体は、３６０度の全方向に対して傾動自在に、上端側取付部と下端側取付部とに取り付けられる。
【００１７】
上記構成によれば、線条体支持具によって、線条体がキャップ型帽子の後部に取り付けられるため、着用者の動作や風等を原因として、線条体の後部が振れてしまうことを防止することができる。また、棒状体の下端に取り付けられた下端側取付部が帽子の後部に取り付けられ、棒状体の上端に取り付けられた上端側取付部が線条体の後部に取り付けられるため、線条体の後部を、着用者の後頭部をカーテンで十分に覆うことができる程度の高い位置に固定的に配置することができる。これによって、カーテンの重みによって、線条体の後部が着用者の後頭部を十分に覆うことができないような低い位置になってしまい、着用者の後頭部を日差し等から十分に保護することができなくなることを防止することができる。更に、線条体支持具を構成する棒状体が、３６０度の全方向に対して傾動自在に、上端側取付部と下端側取付部とに取り付けられるため、棒状体を傾動させて線条体の後部の位置を微調整することができる。
【発明の効果】
【００１８】
上記構成によれば、キャップ型帽子に対して帽子用装着具を取り付けた状態で、線条体の後部が振れてしまうことない。また、線条体の後部の位置を微調整可能である。これによって、線条体の後部が振れてしまうことなく、かつ、様々な大きさ及び形状の頭部や帽子にフィットさせて、好適な位置に線条体の後部を配置可能な帽子用装着具及びこの帽子用装着具に用いられる線条体支持具を提供することができる。また、カーテンの重みによって、線条体の後部が着用者の後頭部を十分に覆うことができないような低い位置になってしまい、着用者の後頭部を日差し等から十分に保護することができなくなることを防止することができるため、防寒用等の比較的重いカーテンを用いることができる。
【図面の簡単な説明】
【００１９】
【図１】（ａ）は、本実施形態にかかる帽子用装着具を装着したキャップの左側面図であり、（ｂ）は、（ａ）で示す左側面図からカーテンを取り除いた様子を示す図である。
【図２】（ａ）は、線条体支持具が傾動する状態を示す図であり、（ｂ）は、カーテンを取り除いた状態で帽子用装着具を装着したキャップの平面図であり、カーテンを取り除いた状態で帽子用装着具を装着したキャップの背面図である。
【図３】（ａ）は、取付具の斜視図であり、（ｂ）は、取付具における支持具の斜視図である。
【図４】線条体の後部に取り付けられた状態の線条体支持具の斜視図である。
【図５】（ａ）は、接続用ベルトと線条体とに取り付けられた状態の線条体支持具の背面図であり、（ｂ）は、接続用ベルトと線条体とに取り付けられた状態の線条体支持具の左側面図である。
【図６】線条体支持具の分解図である。
【図７】変形例に係る上端側取付部の左側面図である。
【図８】棒状体の平面図である。
【図９】上端側取付部の凸部を嵌合させた状態の棒状体の上部の断面図である。
【図１０】下端側取付部の平面図である。
【図１１】接続用ベルトの平面図である。
【図１２】接続用ベルトを取り付けた状態の下端側取付部の斜視図である。
【図１３】棒状体の凸部を嵌合させるとともに接続用ベルトを取り付けた状態の下端側取付部の断面図である。
【図１４】線条体支持具を帽子の後部と線条体とに取り付ける方法を示す図である。
【図１５】線条体支持具が取り付けられた状態の線条体の後部の位置と、線条体支持具が取り付けられていない状態（カーテンの重みで下がった状態）の線条体の後部の位置との違いを示す図である。
【図１６】（ａ）は、カーテンを取り除いた状態の帽子用装着具を装着したサンバイザーの左側面図であり、（ｂ）は、カーテンを取り除いた状態の帽子用装着具を装着したサンバイザーの平面図であり、（ｃ）は、カーテンを取り除いた状態の帽子用装着具を装着したサンバイザーの背面図である。
【図１７】（ａ）は、単一の線条体支持具を備え、カーテンを取り除いた状態の帽子用装着具を装着したキャップの平面図であり、（ｂ）は、単一の線条体支持具を備え、カーテンを取り除いた状態の帽子用装着具を装着したキャップの背面図である。
【図１８】（ａ）は、変形例に係る接続用ベルトが取り付けられた状態の下端側取付部の斜視図であり、（ｂ）は、変形例に係る接続用ベルトの平面図である。
【発明を実施するための形態】
【００２０】
以下、本発明の好適な一実施形態について、図面を参照しつつ説明する。
【００２１】
（帽子用装着具の全体構成）
まず、図１及び図２（ｂ）（ｃ）を用いて、本実施形態にかかる帽子用装着具の全体構成を説明する。本実施形態に係る帽子用装着具１は、キャップ２の周囲に日除け等用のカーテン１２を装着するためのものである。なお、本実施形態では、帽子用装着具１は、着用者の頭部に被せられる帽子本体２１の前部に鍔部２２が取り付けられてなるキャップ２に装着されるが、キャップ２の他のキャップ型帽子にも装着可能である。キャップ型帽子とは、その前部に鍔部が形成されており、かつ後部に鍔部が形成されていない帽子のことであり、例えば、上述したようなキャップや、鍔部とこの鍔部を支持するベルトとを備えたサンバイザー等が含まれる。
【００２２】
帽子用装着具１は、キャップ２の周囲にこのキャップ２を取り囲むように配置される線条体１１と、線条体１１に取り付けられるカーテン１２と、線条体１１の前部に取り付けられる取付具１３とを有する。この取付具１３によって、キャップ２の鍔部２２に線条体１１が着脱可能に取り付けられ、線条体１１に取り付けられたカーテン１２を着用者の頭部の周囲に配置することができるようになっている。
【００２３】
更に、帽子用装着具１は、キャップ２の後部（例えば、サイズ調整ベルト２３）に線条体１１を着脱自在に取り付けるための、線条体支持具１４を備える。この様に、線条体支持具１４を介して線条体１１をキャップ２の後部（サイズ調整ベルト２３）に着脱自在に取り付けることができるため、キャップ２の着用者の動作や風等を原因として、線条体１１の後部が振れてしまうことを防止することができるようになっている。
【００２４】
また、線条体支持具１４は、上下方向に延びる部材であり、その上端が線条体１１に着脱自在に取り付けられるとともに、その下端がキャップ２のサイズ調整ベルト２３に着脱自在に取り付けられる。これによって、線条体支持具１４が不要な場合には、帽子用装着具１から線条体支持具１４を取り外すことが可能になる。
【００２５】
本実施形態では、帽子用装着具１では、２つの線条体支持具１４が左右方向に並ぶように配置される。右に配置される線条体支持具１４が、線条体支持具１４Ｂであり、左に配置される線条体支持具１４が、線条体支持具１４Ａである。
【００２６】
以下に、帽子用装着具１の各構成（線条体１１、カーテン１２、取付具１３、線条体支持具１４）について、具体的に説明する。
【００２７】
（線条体の構成）
以下に、図１、及び図２（ｂ）（ｃ）を用いて、線条体１１の構成を説明する。線条体１１は、例えば直径が所定の寸法（例えば、３ｍｍ〜６ｍｍ程度）の断面視で円形のアルミ鋼線である。線条体１１は、平面視において、略Ｕ字状に屈曲された形状を有し、前方が開放されるように形成されている。線条体１１の開放部分には、取付具１３が配置され、線条体１１の両端が取付具１３に取り付けられる。また、取付具１３には、キャップ２の鍔部２２が着脱自在に取り付けられ、これによって、線条体１１の両端すなわち前部が、取付具１３を介して鍔部２２に着脱自在に取り付けられる。また、線条体１１の全域に亘って下方にカーテン１２が配置されるように、線条体１１には、カーテン１２の上部が取り付けられる。
【００２８】
なお、本実施形態では、線条体１１はアルミ鋼線に限定されず、ワイヤー、ピアノ線、紐、強化アルミニウムからなるパイプ等の他の線条体がもちいられてもよい。
【００２９】
（カーテンの構成）
以下に、図１（ａ）を用いて、カーテン１２の構成を説明する。カーテン１２は、その上部で、線条体１１に取り付けられる。この取り付けの構成は、如何なる構成であってもよいが、一例を挙げれば、カーテン１２の上部における複数か所に、図略の懸吊具がそれぞれ取り付けられており、この懸吊具によって、カーテン１２が着脱自在に線条体１１に取り付けられる。各懸吊具は、例えば、フック面とループ面とからなる面ファスナーを備え、かつ一端がカーテン１２の上部に縫い付けられた帯であり、この帯を内側に線条体１１を挟むようにして二つ折りにし、フック面にループ面を押し付けることで、線条体１１にカーテン１２の上部を取り付けることができるようになっている。本実施形態では、２枚のカーテン１２が線条体１１に取り付けられるが、１枚、又は３枚以上のカーテン１２が線条体１１に取り付けられてもよい。また、線条体１１にカーテン１２と線条体支持具１４を取り付けた状態では、カーテン１２は線条体支持具１４の外側に位置するようになる。
【００３０】
（取付具の構成）
以下に、図３を用いて、取付具１３の構成の一例を説明する。取付具１３は、例えば樹脂製の部材であり、鍔部２２に取り付けられる支持具１３１と、この支持具１３１に取り付けられる２つの接続具１３２とからなる。
【００３１】
支持具１３１は、左右方向に延びる略円柱状の本体１３１１と、この本体１３１１の後部に一体的に形成されたこの後部から後方に突出する２つの鍔部用着脱具１３１２（１３１２Ａ、１３１２Ｂ）と、本体１３１１の下部に一体的に形成されたこの下部から後方に突出する単一の鍔部用着脱具１３１４とから成る。鍔部用着脱具１３１２（１３１２Ａ、１３１２Ｂ）と、鍔部用着脱具１３１４とは、それぞれ板面が上下方向を向く板状部材であり、鍔部用着脱具１３１４は、鍔部２２の厚みに対応した寸法だけ鍔部用着脱具１３１２（１３１２Ａ、１３１２Ｂ）よりも下方に位置するように形成され、かつ、鍔部用着脱具１３１２（１３１２Ａ、１３１２Ｂ）と対向するように形成されている。これによって、鍔部用着脱具１３１２（１３１２Ａ、１３１２Ｂ）と鍔部用着脱具１３１４とで鍔部２２を上下方向から挟み込むクリップとして機能し、鍔部用着脱具１３１２（１３１２Ａ、１３１２Ｂ）と鍔部用着脱具１３１４との間に後方から鍔部２２を嵌め入れることで、支持具１３１を鍔部２２に取り付けることができるようになっている。
【００３２】
本体１３１１の両端には、外鍔部１３１０が形成されているとともに、この外鍔部１３１０よりも端側の外周面に平歯車１３１３（１３１３Ａ、１３１３Ｂ）が形成されている。なお、平歯車１３１３は、その回転軸が本体１３１１の円柱軸に一致するように形成されている。本体１３１１の両端には、それぞれ接続具１３２（１３２Ａ、１３２Ｂ）が取り付けられる。
【００３３】
接続具１３２は、円柱を途中で屈曲させたような上面視においてＬ字状の部材であり、前後方向に延びる部分と左右方向に延びる部分とからなる。接続具１３２は、その両端において筒状に形成されており、その一端すなわち後端１３２１（１３２１Ａ、１３２１Ｂ）における筒内には、線条体１１の端部が嵌め込まれる。具体的には、接続具１３２Ｂの後端１３２１Ｂにおける筒内には、線条体１１の右側の端部が嵌め込まれ、接続具１３２Ａの一端１３２１Ａにおける筒内には、線条体１１の左側の端部が嵌め込まれる。この様にして、各接続具１３２に線条体１１の端部が取り付けられる。なお、線条体１１は、上述したように平面視において略Ｕ字状に形成されているが、接続具１３２の後端１３２１に嵌め入れることが可能なように、略Ｕ字状の線条体１１の各端部は、前後方向に一直線状に形成されていてもよい。
【００３４】
そして、接続具１３２の他端（接続具１３２Ａの右端、接続具１３２Ｂの左端）における筒内には、本体１３１１に形成された平歯車１３１３に噛み合う歯が形成されている。この筒内に本体１３１１の一端を嵌めることで、接続具１３２を本体１３１１に取り付けることができる。また、着用者の操作によって、本体１３１１の円柱軸を回転軸として接続具１３２を回転させることができ、これによって、線条体１１の本体１３１１に対する取付け角度を調整することができる。なお、着用者の操作がないときには、本体１３１１の筒内に形成された歯と、平歯車１３１３とが噛み合うことで、接続具１３２が回転しないように固定される。
【００３５】
なお、本実施形態では、上記取付具１３を用いて、線条体１１を鍔部２２に着脱自在に取り付けたが、本発明の取付具は、線条体１１を鍔部２２に着脱自在に取り付けることができれば如何なる構成をも採用することができる。例えば、図１、図２（ｂ）（ｃ）で示すように、接着具１３２を一直線状に左右方向に延びるように形成してもよい。また、本実施形態に係る取付具１３は、角度調整機能付きであるが、角度調整機能を有さないものがもちいられてもよい。この場合であっても、紐やワイヤー等の柔軟な線条体を使用した場合等には、線条体１１の後部の高さの変更にともなって、線条体１１の本体１３１１に対する取付け角度を変更することができる。
【００３６】
（線条体支持具の構成：全体構成）
以下に、図２（ａ）、図４から図６を用いて、線条体支持具１４の全体構成を説明する。
線条体支持具１４（１４Ａ、１４Ｂ）は、例えば、プラスチックやゴム等の着用者の肌面を傷つけ難く、割れ難い素材で製造された部材である。線条体支持具１４（１４Ａ、１４Ｂ）は、上下方向に延びる棒状体１４１と、この棒状体１４１の下端に取り付けられるとともに、キャップ２の後部（後部下方に設けられたアジャスターとしてのサイズ調整ベルト２３）に着脱自在に取り付けられる下端側取付部１４２と、棒状体１４１の上端に取り付けられるとともに、線条体１１に取り付けられる上端側取付部１４３と、を有する。そして、棒状体１４１は、図２（ａ）で示す動作によって、平面視において３６０度の全方向に対して傾動自在に、上端側取付部１４３と下端側取付部１４２とに取り付けられる。このため、棒状体１４１を傾動させることで、好適な位置になるように線条体１１の後部の位置を微調整することができる。
【００３７】
なお、カーテン１２が不要なときには、カーテン１２を線条体支持具１４Ａ、１４Ｂの方に寄せて束ね、束ねたカーテン１２を線条体支持具１４Ａ、１４Ｂに図略のリボンやベルト等で固定することで、線条体支持具１４Ａ、１４Ｂをカーテン１２留めとして使用することもできる。
【００３８】
（線条体支持具の構成：棒状体）
以下に、図１（ｂ）、図２、図６、図８、図９、及び図１３を用いて、棒状体１４１の構成を説明する。
棒状体１４１は、例えば高さ４ｃｍの円柱状の部材であり、その下端には、略球状の凸部１４１３（本発明の「第１凸部」）が形成されている。なお、凸部１４１３の略球状とは、球状及び球状に近い多面体状を含む。凸部１４１３が下端側取付部１４２（凹部１４２１）に嵌合することで、棒状体１４１は、その下端において、下端側取付部１４２が着脱自在に取り付けられるようになっている。棒状体１４１の上端には、棒状体１４１の上面に開口が形成されるように、凹部１４１１（本発明の「第２凹部」）が形成されている。この凹部１４１１に開口を介して上端側取付部１４３（凸部１４３１）が挿入可能になっている。凹部１４１１は、上に配置される方の径が小さい二つの円柱を重ねたような形状に形成されている。このため、凸部１４３１の挿入の際には、凸部１４３１に押されて棒状体１４１の上部１４１４が撓んで、凹部１４１１内に凸部１４３１が嵌め入れられる。そして、凸部１４３１が凹部１４１１に嵌め入れられて嵌合された後には、凸部１４３１が、上部１４１４で係止されて、凹部１４１１から抜けることが防止され、これによって、棒状体１４１に上端側取付部１４３が取り付けられる。また、この取り付けられた状態で、着用者が操作することで、棒状体１４１がその円柱軸を中心に回転自在になっている。
【００３９】
なお、凹部１４１１は、その内面が凸部１４３１の底部と側部に当接するように形成されており、凹部１４１１の内面と凸部１４３１の底部及び側部との間の摩擦力によって、棒状体１４１が着用者の操作がなければ回転しないように固定される。
【００４０】
棒状体１４１の上部１４１４の上面には、テーパ１４１２が形成されている。このテーパ１４１２は、凹部１４１１の開口に向かって上から下に傾斜するように形成されており、これによって、棒状体１４１は、上端側取付部１４３が取り付けられた状態で、着用者の操作によって、平面視において３６０度の全方向に対して傾動自在になっている。
【００４１】
なお、上述したように、凹部１４１１は、その内面が凸部１４３１の底部と側部に当接するように形成されており、凹部１４１１の内面と凸部１４３１の底部及び側部との間の摩擦力によって、着用者の操作がなければ、棒状体１４１が傾動しないように固定される。なお、凹部１４１１の内面における凸部１４３１との当接部分にゴム部材を取り付けることで、より良好に、着用者の操作がなければ回転及び傾動しないように棒状体１４１を固定することができる。
【００４２】
（線条体支持具の構成：上端側着脱具）
以下に、図６、図７、及び図９を用いて、上端側取付部１４３の構成を説明する。
上端側取付部１４３は、その上面が丸みを帯びた、例えば高さ１ｃｍの略円柱状の部材であり、その下面には、下方向に突出する円柱状の突起１４３１ａが形成されている。そして、突起１４３１ａの先端には略球状の凸部１４３１（本発明の「第２凸部」）が形成されている。なお、凸部１４３１の略球状とは、球状及び球状に近い多面体状を含む。上述したように、凸部１４３１が棒状体１４１の上端に設けられた凹部１４１１に嵌合されることで、上端側取付部１４３は棒状体１４１に着脱自在に取り付けられるようになっている。
【００４３】
また、上端側取付部１４３は、左右方向に貫通する円柱状の貫通孔１４３２が形成されている。上端側取付部１４３の前部には、左右方向に延びるとともに、貫通孔１４３２に繋がるスリット１４３３が形成されており、このスリット１４３３を介して線条体１１の後部が貫通孔１４３２内に嵌め入れられるようになっている。線条体１１の挿入の際には、線条体１１に押されて上端側取付部１４３の前部が撓んで、貫通孔１４３２内にスリット１４３３から線条体１１が嵌め入れられ、その後は、線条体１１が、上端側取付部１４３の前部で係止されて、貫通孔１４３２から抜けることが防止される。この様にして、貫通孔１４３２に線条体１１を貫通させて、線条体１１の後部に上端側取付部１４３が着脱自在に取り付けられるようになっている。また、この様に取り付けられることで、上端側取付部１４３は線条体１１の沿ってスライド移動可能になっている。
【００４４】
なお、本実施形態では、スリット１４３３は、上端側取付部１４３の前部に形成されているが、図７で示す上端側取付部１４３´のように、上端側取付部１４３の上部にスリット１４３３´が形成されてもよい。この場合には、線条体１１の後部が、上方から貫通孔１４３２内に嵌め入れられるようになっている。
【００４５】
（線条体支持具の構成：下端側取付部）
以下に、図１０から図１３を用いて、下端側取付部１４２の構成を説明する。
下端側取付部１４２は、例えば高さ２ｃｍの略直方体状の部材であり、その上端には、その上面に開口が形成されるように、凹部１４２１（本発明の「第１凹部」）が形成されている。この凹部１４２１には、開口を介して、棒状体１４１の略球状の凸部１４１３が挿入可能になっている。凹部１４２１は、上に配置される方の径が小さい二つの円柱を重ねたような形状に形成されている。このため、凸部１４１３の挿入の際には、凸部１４１３に押されて下端側取付部１４２の上部１４２４が撓んで、凹部１４２１内に凸部１４１３が嵌め入れられる。凹部１４２１内に凸部１４１３が嵌め入れられて嵌合された後には、凸部１４１３が、上部１４２４で係止されて、凹部１４２１から抜けることが防止され、これによって、棒状体１４１に下端側取付部１４２が取り付けられる。また、この取り付けられた状態で、棒状体１４１がその円柱軸を中心に回転自在になっている。
【００４６】
なお、凹部１４２１は、その内面が凸部１４１３の底部と側部に当接するように形成されており、凹部１４２１の内面と凸部１４１３の底部及び側部との間の摩擦力によって、着用者の操作がなければ、棒状体１４１が回転しないように固定される。
【００４７】
下端側取付部１４２の上部１４２４の上面における凹部１４２１の周囲には、テーパ１４２２が形成されている。このテーパ１４２２は、凹部１４２１の開口に向かって上から下に傾斜するように形成されており、これによって、棒状体１４１は、下端側取付部１４２が取り付けられた状態で、着用者の操作によって、平面視において３６０度の全方向に対して傾動自在になっている。
【００４８】
なお、凹部１４２１は、その内面が凸部１４１３の底部と側部に当接するように形成されており、凹部１４２１の内面と凸部１４１３の底部及び側部との間の摩擦力によって、着用者の操作がなければ、棒状体１４１が傾動しないように固定される。なお、凹部１４２１の内面における凸部１４１３との当接部分にゴム部材を取り付けることで、より良好に、着用者の操作がなければ回転及び傾動しないように棒状体１４１を固定することができる。
【００４９】
上述したように、棒状体１４１は、下端側取付部１４２に対してだけでなく上端側取付部１４３に対しても、３６０度の全方向に対して傾動自在に、かつ、回転自在に取り付けられている。このため、棒状体１４１は、上端側取付部１４３と下端側取付部１４２との両方に取り付けられた状態において、３６０度の全方向に対して傾動自在に、かつ、その円柱軸を中心に回転自在になっている。
【００５０】
また、下端側取付部１４２は、凹部１４２１より前の部分に、上下方向に貫通する略直方体状の貫通孔１４２３が形成されている。この貫通孔１４２３には、接続用ベルト３が挿入され、この接続用ベルト３によってキャップ２のサイズ調整ベルト２３に取り付けられるようになっている。具体的に説明すると、接続用ベルト３の一端には、図１１で示すように、リング状の金属製ベルト留め具３１、３２が取り付けられており、接続用ベルト３の他端を下方から貫通孔１４２３に挿入した後に折り返して、接続用ベルト３の他端を金属製ベルト留め具３１、３２に取り付けることで、下端側取付部１４２を接続用ベルト３によってサイズ調整ベルト２３に取り付けることができる。この様に、下端側取付部１４２を接続用ベルト３によってサイズ調整ベルト２３に固定するため、下端側取付部１４２をキャップ２の後部に強固に取り付けることができる。
【００５１】
（線条体支持具による線条体の後部の位置の微調整）
以下に、図２及び図５を用いて、線条体支持具１４による線条体１１の後部の位置の微調整を説明する。
本実施形態では、線条体１１は、撓み難く、変形し難いように形成されている。従って、棒状体１４１の傾動や回転によって、線条体１１は、形状を保ったまま、その後部の位置が変更されることになる。まず、線条体１１の後部の前後方向の位置を変えずに高さを変える方法について説明する。この場合には、棒状体１４１を図５（ａ）の矢印ｂで示す方向に傾動させる。より具体的には、図２（ｂ）（ｃ）で示すように、線条体支持具１４Ａの棒状体１４１と線条体支持具１４Ｂの棒状体１４１とを互いに離間させるように傾動させる。この場合には、線条体支持具１４Ａの上端側取付部１４３と線条体支持具１４Ｂの上端側取付部１４３とは、姿勢を変えることなく、互いに離間するように線条体１１に沿ってスライド移動していく。なお、このスライド移動にともなって、上端側取付部１４３に対する棒状体１４１の取り付け角度が変化することになる。この様にして、線条体１１の後部の前後方向の位置を変えずに、その高さを変えることができる。
【００５２】
次に、線条体１１の後部の前後方向の位置と高さとの両方を変える方法を説明する。棒状体１４１を何れの方向に傾動させても、線条体１１の後部の高さと、前後方向の位置とを同時に変更することができる。例えば、棒状体１４１を図５（ｂ）の矢印ｄで示す方向に傾動させることで、線条体１１の後部の高さと前後方向の位置とを同時に調整することができる。ここで、上端側取付部１４３は、図５（ｂ）の矢印ｃで示す方向に傾動自在であるため、この方向に傾動させてもよい。
【００５３】
なお、線条体支持具１４Ａの棒状体１４１を左前方に傾動させ、かつ線条体支持具１４Ｂの棒状体１４１を右前方に傾動させる方法でも、線条体１１の後部の高さと、前後方向の位置とを同時に調整することができる。この方法の方が、これらの棒状体１４１を前方に傾動させる方法と比較して、線条体１１の後部の前後方向の位置を同程度変更しながらも、その高さを大きく変更することができる。同様に、線条体支持具１４Ａの棒状体１４１を左後方に傾動させ、かつ線条体支持具１４Ｂの棒状体１４１を右後方に傾動させる方法の方が、これらの棒状体１４１を後方に傾動させる方法と比較して、線条体１１の後部の前後方向の位置を同程度変更しながらも、その高さを大きく変更することができる。従って、着用者が線条体支持具１４の棒状体１４１を３６０度の全方向のうちの何れかに傾動させることで、線条体１１の後部が所望の位置（前後方向の位置及び高さ）になるように微調整することができる。
【００５４】
なお、本実施形態では、線条体１１は、撓み難く、変形し難いように形成されているが、変形可能に形成されてもよい。この場合には、棒状体１４１を傾動させて、線条体１１を変形させながら、線条体１１の後部の位置や高さを微調整することができる。また、棒状体１４１は、その円柱軸を中心に回転自在になっているため、棒状体１４１を回転させることで、線条体１１の後部の位置を変更せずに、線条体１１を変形させることもできる。なお、線条体１１が変形可能である場合には、上端側取付部１４３に線条体１１の後部が固着された構成とすることができる。
【００５５】
（線条体支持具をキャップの後部と線条体とに取り付ける方法）
以下に、図１４を用いて、線条体支持具１４をキャップ２の後部（サイズ調整ベルト２３）と線条体１１とに取り付ける方法の一例を説明する。まず、線条体支持具１４Ａ、１４Ｂを、棒状体１４１、下端側取付部１４２、及び上端側取付部１４３に分解する。そして、各下端側取付部１４２を、接続用ベルト３を介してサイズ調整ベルト２３に取り付ける。なお、本実施形態に係るキャップ２では、サイズ調整ベルト２３は、左側サイズ調整ベルト２３１と右側サイズ調整ベルト２３２とからなり、左側サイズ調整ベルト２３１と右側サイズ調整ベルト２３２とが互いに係合する構成である。従って、左側サイズ調整ベルト２３１と右側サイズ調整ベルト２３２とを係合させない状態で、線条体支持具１４（Ｂ）の下端側取付部１４２を右側サイズ調整ベルト２３２に、線条体支持具１４（Ａ）の下端側取付部１４２を左側サイズ調整ベルト２３１に取り付けることで、容易に各下端側取付部１４２をサイズ調整ベルト２３に取り付けることができる。なお、本実施形態では、サイズ調整ベルト２３は、右側サイズ調整ベルト２３２と左側サイズ調整ベルト２３１との係合位置を変えることで、キャップ２のサイズを変更することができるが、線条体支持具１４はサイズ調整できないベルト（キャップ２の後部下方に設けられたベルト）に取り付けられてもよい。
【００５６】
次に、各棒状体１４１の上端をそれぞれ上端側取付部１４３に取り付け、この後に、各上端側取付部１４３をそれぞれ線条体１１の後部に取り付ける。なお、上述したように、棒状体１４１がその円柱軸を中心として回転可能、すなわち、上端側取付部１４３が回転可能である。このため、上端側取付部１４３を回転させることで上端側取付部１４３のスリット１４３３と線条体１１との位置合わせが容易になり、上端側取付部１４３を線条体１１に取り付ける作業が容易になる。そして、各棒状体１４１の下端をそれぞれ下端側取付部１４２に取り付ける。このようにして、線条体支持具１４Ａ、１４Ｂをキャップ２のサイズ調整ベルト２３と線条体１１とに取り付けることができる。なお、その後に、線条体１１の後部の位置が好適な位置になるように、着用者が各棒状体１４１を傾動させて、線条体１１の後部の位置が微調整される。
【００５７】
なお、上記方法では、棒状体１４１を先に上端側取付部１４３に取り付けるが、棒状体１４１を先に下端側取付部１４２に取り付けてもよい。また、線条体支持具１４Ａ、１４Ｂを分解しない状態でキャップ２のサイズ調整ベルト２３と線条体１１とに取り付けてもよい。
【００５８】
（線条体支持具を用いることの利点）
以下に、図５、及び図１５を用いて、線条体支持具１４を用いることの利点を説明する。
まず、上述したように、線条体１１がキャップ２の後部（サイズ調整ベルト２３）に着脱自在に取り付けられるため、線条体１１の後部が振れてしまうことを防止することができるという利点がある。具体的に説明すると、線条体支持具１４なしでは、キャップ２の着用者が例えば走る等の上下動をともなう動作をしたときや風等を原因として、取付具１３の鍔部２２への取付け位置（鍔部用着脱具１３１２の位置）を支点として、又は、取付具１３の線条体１１への取付け位置（接続具１３２の後端１３２１）を支点として、線条体１１の後部が上下に振れてしまう。また、風等が吹いたときにも同様に、線条体１１の後部が上下に振れてしまう。このため、ゴルフ、ジョギング、登山等のように、風の影響を受けやすい屋外で、着用者が上下動をともなう運動を行う際に、線条体１１の後部が頻繁に上下に振れてしまい、着用者の後頭部を十分に日差し等から保護できない問題が生じる場合がある。本実施形態では、線条体１１の後部が振れてしまうことが防止されるため、このような問題が生じ難い。
【００５９】
また、図１５で示すように、長尺状の線条体支持具１４の下端がキャップ２のサイズ調整ベルト２３に取り付けられ、線条体支持具１４の上端が線条体１１の後部に取り付けられるため、線条体１１の後部を線条体支持具１４で持ち上げて支持することができ、線条体支持具１４を用いない場合より線条体１１の後部を高い位置に固定的に配置することができるという利点がある。具体的に説明すると、線条体支持具１４を用いない場合（線条体１１に取り付けない場合）には、カーテン１２が防寒用の分厚く重いものであると、カーテン１２の重みによって、線条体１１の後部の位置が下がってしまう（例えば、図１５で示す点線の位置まで下がってしまう）場合がある。この場合には、図１５における領域Ｒが覆えなくなってしまう。しかしながら、本実施形態では、線条体支持具１４を用いない場合より線条体１１の後部を高い位置に固定的に配置することができるため、カーテン１２の重みによって、線条体支持具１４の後部が下がってしまうことを防止して、着用者の後頭部を日差し等から保護することができる。このため、帽子用装着具１を防寒のために使用することも可能になる。
【００６０】
上述したように、棒状体１４１は、上端側取付部１４３と下端側取付部１４２との両方に取り付けられた状態において、平面視において３６０度の全方向に対して傾動自在になっている。これによって、好適な位置（着用者が違和感を感じない位置）になるように線条体１１の後部の位置を微調整することができるという利点がある。着用者の頭部の形状や大きさ、また、帽子用装着具１を装着するキャップ型帽子の形状や大きさは様々であるが、線条体１１の後部の位置を微調整することで、様々な大きさや形状の頭部やキャップ型帽子に線条体１１の後部の位置をフィットさせて、着用者に帽子用装着具１に対するフィット感を与えることができるという利点がある。
【００６１】
（変形例）
（１）本実施形態では、帽子用装着具１をキャップ２のサイズ調整ベルト２３に取り付けているが、キャップ２の後部であれば、サイズ調整ベルト２３に限定されず、何処に取り付けてもよい。
【００６２】
（２）本実施形態では、帽子用装着具１をキャップ２に取り付けるが、帽子用装着具１は、サンバイザー等の他のキャップ型帽子に取り付けることも可能である。なお、図１６（ａ）（ｂ）（ｃ）を用いて、サンバイザーへの帽子用装着具１の取付けの一例を説明する。サンバイザー２´は、後部が開口し頭部の周囲に嵌められるベルト状の頭部装着部２４と、頭部装着部２４の前部に取り付けられた鍔部２２´とから成る。そして、頭部装着部２４における開口部分から右側の部位２４２に、線条体支持具１４Ｂの下端側取付部１４１が取り付けられ、頭部装着部２４における開口部分から左側の部位２４１に、線条体支持具１４Ａの下端側取付部１４１が取り付けられる。その他については、線条体支持具１４Ａ、１４Ｂをサンバイザー２´に取り付ける場合も、キャップ２に取り付ける場合も同様であるので、説明を省略する。
【００６３】
（３）また、本実施形態では、２つの線条体支持具１４が用いられているが、３つ以上の線条体支持具１４が用いられてもよいし、図１７（ａ）（ｂ）で示すように、単一の線条体支持具１４が用いられてもよい。なお、単一の線条体支持具１４を用いる場合には、２つ以上の線条体支持具１４を用いるよりも、大きいサイズに形成されることが好ましい。
【００６４】
（４）また、図１８（ａ）（ｂ）で示すような、フック面３３とループ面３４とからなる面ファスナー付きの接続用ベルト３´を接続用ベルト３に代えて用いてもよい。また、接続用ベルト３、３´ではなく、左側サイズ調整ベルト２３１、右側サイズ調整ベルト２３２、部位２４１、２４２（図１６）に対して、上方向、又は横方向から差込み可能なクリップ状の差込み具等を使用してもよく、下端側取付部１４２を帽子の後部に着脱自在に取り付け可能であれば如何なる部材を採用してもよい。
【００６５】
（５）本実施形態では、棒状体１４１の下端には、凸部１４１３が形成されており、下端側取付部１４２には、凸部１４１３を嵌合させるための凹部１４２１及びテーパ１４２２が形成されているが、棒状体１４１の下端に、凹部及びテーパが形成され、下端側取付部１４２に、凹部に嵌合される略球状の凸部が形成され、凹部にこの略球状の凸部が嵌合されることで、下端側取付部１４２が棒状体１４１に取り付けられてもよい。また、本実施形態では、棒状体１４１の上端には、凹部１４１１及びテーパ１４１２が形成されており、上端側取付部１４３には、凹部１４１１に嵌合される凸部１４３１が形成されているが、棒状体１４１の上端に、略球状の凸部が形成され、上端側取付部１４３に、この略球状の凸部を嵌合させる凹部及びテーパが形成され、凹部にこの略球状の凸部が嵌合されることで、上端側取付部１４３が棒状体１４１に取り付けられてもよい。
【００６６】
（６）本実施形態では、棒状体１４１は、下端側取付部１４２及び上端側取付部１４３に着脱自在に取り付けられているが、必ずしも着脱自在に取り付けられなくてもよい。また、上端側取付部１４３は、線条体１１に着脱自在に取り付けられているが、必ずしも着脱自在に取り付けられなくてもよい。
【００６７】
（７）本実施形態では、棒状体１４１の高さは可変に構成されていないが、棒状体１４１はその高さを変更可能に構成してもよい。例えば、棒状体１４１を上側のパーツ（第１パーツ）と、下側のパーツ（第２パーツ）との２分体から構成し、第１パーツの下端及び第２パーツの上端のうち何れか一方にその高さ方向に延びる凸部（雄ネジ部）が形成され、他方に凹部（雌ネジ部）が形成され、この凸部と凹部とが螺着されるよう構成されてもよい。この構成によれば、第１パーツ及び第２パーツの何れかを回転させることで、棒状体１４１の高さを可変にすることができる。これによって、棒状体１４１を傾動させる方法に加え、棒状体１４１の高さを変更する方法によっても、線条体１１の後部の高さを調整することができ、より細かく線条体１１の後部の位置を微調整することができる。
【符号の説明】
【００６８】
１                      帽子用装着具
１１                    線条体
１３                    取付具
１４、１４Ａ、１４Ｂ    線条体支持具
１４１                  棒状体
１４１１                凹部
１４１３                凸部
１４２                  下端側取付部
１４２１                凹部
１４３                  上端側取付部
１４３１                凸部
１４３２                貫通孔
２                      キャップ
２２                    鍔部
２３                    サイズ調整ベルト（後部）
【要約】
【課題】線条体の後部が振れてしまうことなく、かつ、様々な大きさ及び形状の頭部や帽子にフィットさせて、好適な位置に線条体の後部を配置可能な帽子用装着具等を提供することを目的とする。
【解決手段】帽子用装着具１は、線条体１１と、線条体１１に取り付けられるカーテン１２と、キャップ２の鍔部２２に線条体１１を着脱可能に取り付ける取付具１３と、キャップ２のサイズ調整ベルト２３に線条体１１を着脱自在に取り付ける線条体支持具１４と、を備え、線条体支持具１４は、上下方向に延びる棒状体と、この棒状体の下端に取り付けられるとともに、キャップ２の後部（サイズ調整ベルト２３）に着脱自在に取り付けられる下端側取付部と、棒状体の上端に取り付けられるとともに、線条体１１に取り付けられる上端側取付部とを有し、棒状体は、３６０度の全方向に対して傾動自在に、上端側取付部と下端側取付部とに取り付けられる。
【選択図】図１【図１】
0005406410.tif 000002
【図２】
0005406410.tif 000003
【図３】
0005406410.tif 000004
【図４】
0005406410.tif 000005
【図５】
0005406410.tif 000006
【図６】
0005406410.tif 000007
【図７】
0005406410.tif 000008
【図８】
0005406410.tif 000009
【図９】
0005406410.tif 000010
【図１０】
0005406410.tif 000011
【図１１】
0005406410.tif 000012
【図１２】
0005406410.tif 000013
【図１３】
0005406410.tif 000014
【図１４】
0005406410.tif 000015
【図１５】
0005406410.tif 000016
【図１６】
0005406410.tif 000017
【図１７】
0005406410.tif 000018
【図１８】
0005406410.tif 000019